(57)【特許請求の範囲】
【請求項１】
容器本体の背面板に蓋をヒンジ結合し、蓋の前板の下縁に備えた貼着片を容器本体の正面板に貼着可能にしてなる粉体洗剤用紙容器であって、
蓋の貼着片を前板の下縁を支点として該前板の裏面に沿う内側向きになるまで折返した係合片の先端エッジを閉蓋時に容器本体の側壁の外面に係止可能としてなり、
容器本体の外面に、係合片の先端エッジが係止可能に蓋の開き方向に交差する複数条の係止線を付してなる紙容器。
【請求項２】
前記容器本体の開口部を封止する封緘紙を、開口縁部の外側面に貼着してなる請求項１記載の紙容器。
【発明の詳細な説明】
【０００１】
【発明の属する技術分野】
本発明は粉体洗剤用紙容器に関する。
【０００２】
【従来の技術】
洗剤容器では、廃棄時の焼却性のために紙容器を用いている。特許2656903 号では、容器本体に蓋をヒンジ結合した紙容器で、容器本体の開口縁部の外側面に接着してあった係止舌片を剥離して起こし、蓋の内側に設けてある係止凹部を閉蓋時に上記起こされた係止舌片に係止可能としている。これにより、蓋がヒンジの反発力により、閉じ位置から開き方向へ浮き上がるのを防止し、洗剤の吸湿固化を回避可能としている。
【０００３】
【発明が解決しようとする課題】
▲１▼容器本体の外側面に接着してあった係止舌片を剥離するものであり、この剥離痕が容器の外観を損なう。
【０００４】
▲２▼係止舌片を剥離することにより、容器本体と係止舌片の強度低下を招く。
【０００５】
▲３▼起こされた係止舌片は、起こされる前に接着されていた容器本体の外側面側への復元習性を備え、これが蓋の係止凹部から外れる係止解除習性として作用し、蓋のロックの確実性を損ない、洗剤の吸湿を招き易くなる。
【０００６】
本発明の課題は、容器の外観と強度を損なうことなく、蓋のロックの確実性を向上することにある。
【０００７】
【課題を解決するための手段】
本発明は、容器本体の背面板に蓋をヒンジ結合し、蓋の前板の下縁に備えた貼着片を容器本体の正面板に貼着可能にしてなる粉体洗剤用紙容器であって、蓋の貼着片を前板の下縁を支点として該前板の裏面に沿う内側向きになるまで折返した係合片の先端エッジを閉蓋時に容器本体の側壁の外面に係止可能としてなり、容器本体の外面に、係合片の先端エッジが係止可能に蓋の開き方向に交差する複数条の係止線を付してなるようにしたものである。
【０００８】
【発明の実施の形態】
粉体洗剤用紙容器１０は、図１に示す如く、容器本体１１と蓋１２と封緘紙１３とからなる。
【０００９】
容器本体１１は、紙だけ、もしくは紙を主材料としてプラスチックフィルムをラミネートされた素材を折り曲げて組立てたものであり、正面板１１Ａ、背面板１１Ｂ、両側板１１Ｃ、１１Ｃ、底板１１Ｄを有する。容器本体１１は、図２に示す如く、開口部１１Ｅを形成する正面板１１Ａ、背面板１１Ｂ、両側板１１Ｃ、１１Ｃの各開口縁部１１Ｆに内折りフラップ１１Ｇを備え、この内折りフラップ１１Ｇを内折り接着してある。
【００１０】
蓋１２は、紙だけ、もしくは紙を主材料としてプラスチックフィルムをラミネートされた素材を折り曲げて組立てたものであり、前板１２Ａ、後板１２Ｂ、両側板１２Ｃ、１２Ｃ、天板１２Ｄを有する。蓋１２は、前板１２Ａの下縁中央部に容器本体１１の正面板１１Ａに貼着される貼着片１２Ｅ（開蓋時のつまみ部として利用可）を備え、後板１２Ｂにヒンジ結合部１２Ｆを備えるとともに、両側板１２Ｃ、１２Ｃに連設した糊付フラップ１２Ｇを前板１２Ａの内側面に貼着してある。
【００１１】
紙容器１０は、容器本体１１の背面板１１Ｂに蓋１２のヒンジ結合部１２Ｆをヒンジ結合して構成される。このとき、紙容器１０は、図２に示す如く、蓋１２の前板１２Ａに設けた貼着片１２Ｅを内側向きに折返して本発明の係合片３１とし、閉蓋時に容器本体１１の正面板１１Ａの外面に係止可能としている。他方、蓋１２の係合片３１が係止する容器本体１１の正面板１１Ａの外面を、蓋１２の開き方向に交差する複数条の半切れ線を付して形成される開き抵抗面３２としている。これにより、蓋１２の貼着片１２Ｅを容器本体１１の正面板１１Ａから剥離した以後の再閉蓋時に、蓋１２の係合片３１を容器本体１１の開き抵抗面３２に摩擦による係止作用と凹凸による係止作用に基づく節度感（係止力と係止音）を伴って係止し、蓋１２がヒンジ結合部１２Ｆの反発力により開き方向へ浮き上がるのを防止し、内容物の粉体洗剤が吸湿固化するのを回避する。
【００１２】
尚、紙容器１０は、容器本体１１の開口部１１Ｅを封止する封緘紙１３を、正面板１１Ａ、背面板１１Ｂ、両側板１１Ｃ、１１Ｃの全開口縁部１１Ｆの外側面に一定幅をもって貼着し（図１）、内容物の粉体洗剤を流通保管段階で密封可能としている。
【００１３】
従って、本実施形態によれば以下の作用がある。
（請求項１に対応する作用）
▲１▼蓋１２に設ける係合片３１は蓋１２が本来的に備える貼着片１２Ｅを利用するものであり、容器本体１１に設ける開き抵抗面３２を容器本体１１に予め設けることができる。従って、係合片３１、開き抵抗面３２の使用に際し、紙容器１０の外観を損なうことがないし、容器本体１１と蓋１２（係合片３１を含む）の強度をことさら低下することがない。
【００１４】
▲２▼係合片３１は、蓋１２の内側に折返されて用いられ、折返される前の外方へと広がる復元習性を備えるから、これが容器本体１１の開き抵抗面３２に強く当たる係止促進習性として作用し、蓋１２のロックの確実性を向上し、洗剤の吸湿防止を向上する。
【００１５】
（請求項２に対応する作用）
▲３▼開き抵抗面３２が、蓋１２の開き方向に交差する複数条の半切れ線を付して形成されるから、係合片３１との摩擦による係止作用と凹凸による係止作用の確実を図り、蓋１２のロックをより強固にする。
【００１６】
（請求項３に対応する作用）
▲４▼封緘紙１３は容器本体１１の開口縁部１１Ｆの上端面に続く外側面で、開き抵抗面３２から離隔する一定幅の範囲に貼着でき、封緘紙１３の開封時に開き抵抗面３２の周辺の表層を剥離する等により損なうことがない。従って、封緘紙１３による封止の確実を図りながら、開き抵抗面３２の脆弱を招くことがない。
【００１７】
尚、開き抵抗面３２は、面の係合片３１との摩擦力を容器本体の材料の平滑面より高めるものであって、上記実施形態に代えて複数条の罫線（図３（Ａ））からなるもので良い。エンボス（図３（Ｂ））、紙やすり（図３（Ｃ））等を付して形成されるものは参考例である。また、開き抵抗面３２は、容器本体１１の外面と蓋１２の係合片３１の両方に付すものであっても良い。
【００１９】
【発明の効果】
以上のように本発明によれば、容器の外観と強度を損なうことなく、蓋のロックの確実性を向上することができる。
【図面の簡単な説明】
【図１】  図１は紙容器の開蓋状態を示す斜視図である。
【図２】  図２は紙容器の閉蓋状態を示す要部断面図である。
【図３】  図３は開き抵抗面の変形例を示す断面図である。
【符号の説明】
１０  紙容器
１１  容器本体
１１Ａ  正面板
１１Ｂ  背面板
１１Ｅ  開口部
１１Ｆ  開口縁部
１２  蓋
１２Ａ  前板
１２Ｅ  貼着片
１２Ｆ  ヒンジ結合部
１３  封緘紙
３１  係合片
３２  開き抵抗面
【図１】
0004448234.tif 000002
【図２】
0004448234.tif 000003
【図３】
0004448234.tif 000004